(57)【要約】      （修正有）【課題】寿命が長く省電力な全方向発光ダイオード電球を提供する。【解決手段】照明カバー１００と、本体２００と、口金３００とを含む。照明カバー１００は、上カバー１１０と下カバー１２０とであり、両者は、上カバー１１０の第１結合部１１１と下カバーの第２結合部１２１とで互いに結合して底部が開口するカバーを形成し、上カバー１１０の内面には当該上カバーの中心から形成した同心円彫り模様をさらに複数有し、第１結合部１１１と第２結合部１２１とが完全に密閉結合される。電源モジュール４００が内蔵されたハウジングであり、下カバー１２０との間に防水パッキン１３０が介在され、さらに複数の締結部材１４０でこれらの孔を接続して密接させ、ハウジングの天井面における光源板４１０には複数の発光素子４２０が設けられるとともに、電源モジュール４００に電気的に接続される。さらに、口金３００は本体２００と電気絶縁に結合される。【選択図】図４
0003197255.tif 000002
【実用新案登録請求の範囲】
【請求項１】
少なくとも、
結合された上カバーと下カバーとで底部が開口するカバーを形成し、前記上カバーの内面には当該上カバーの中心から形成した同心円彫り模様をさらに複数有し、前記上カバーの底部エッジが第１結合部、前記下カバーの上部エッジが第２結合部となり、前記第１結合部と前記第２結合部とが完全に密閉結合され、前記下カバーの底部エッジに複数の孔が設けられている照明カバーと、
電源モジュールが内蔵されたハウジングであり、前記ハウジングの上部と前記下カバーとの間に防水パッキンが介在され、さらに複数の締結部材で前記孔を接続して密接させ、前記ハウジングの天井面は光源板であり、前記光源板には複数の発光素子が設けられるとともに、前記電源モジュールに電気的に接続されている本体と、
前記本体と電気絶縁に結合されている口金と、を含む、
全方向発光ダイオード電球。
【請求項２】
前記同心円彫り模様のピッチが、前記発光素子の数量、位置及び前記照明カバーの厚さ、透光率とは、特定の比例関係になることを特徴とする請求項１記載の全方向発光ダイオード電球。
【請求項３】
前記第１結合部と前記第２結合部とは、対応する凹凸構造であり、前記凹凸構造は、それぞれ超音波溶接または高周波数の方式で溶接嵌合することを特徴とする請求項１記載の全方向発光ダイオード電球。
【請求項４】
前記下カバーの内面は、上カバーに対応する同心円彫り模様を更に含み、上カバーからの反射光を屈折するために用いられることを特徴とする請求項１記載の全方向発光ダイオード電球。
【請求項５】
前記締結部材は、前記下カバーと前記本体上部とを螺着するねじであることを特徴とする請求項１記載の全方向発光ダイオード電球。
【考案の詳細な説明】
【技術分野】
【０００１】
本考案は、発光ダイオード電球に関し、特に、照明カバーの内部を接線でカットする方式で規則的かつ微小な平面を形成し、平面で配置された光源からの光が微小な平面の反射によって散乱を発生し、有効な光が光源の後方に拡散することになり、全方向性の屈折効果に達する全方向発光ダイオード電球に関する。
【背景技術】
【０００２】
現代において、人々は、電気製品をはじめ、日常生活用品の至るところまでに発光ダイオード（Ｌｉｇｈｔ  Ｅｍｉｔｔｉｎｇ  Ｄｉｏｄｅ；ＬＥＤ）を幅広く利用してきた。発光ダイオードは、伝統の電球の代わりとして、体積が小さく、反応が速く、電気消費量が低く、使用寿命が長いといった長所を備えており、その中でも、特に、照明器具に用いる発光ダイオード（ＬＥＤ）製品が最も多い。
一般に、照明器具は、底板と、少なくとも一つのソケットと、少なくとも一つの電球とから構成し、現在の環境保護政策に従うよう省エネ・炭素削減のために、伝統の白熱電球の代わりにＬＥＤ電球を利用するようになっている。しかし、従来のＬＥＤ電球は、ガラスの材質を用いて作製し、内部のＬＥＤからの熱を導き出すために、電球底部の電気口金にヒートシンクが結合されているため、従来のＬＥＤ電球に多くの欠点をもたらした。
【０００３】
まず、電球がガラスの材質で製造されるため、壊れやすく危険をもたらす外、全体の重さも比較的重い。次に、この電球とその底部の電気口金とが接着剤で接着されているため、密閉性が低く、室外または特殊な仕事の場所で使う時、湿気や腐蝕性のガス（例えば、アンモニア、硫化水素など）の侵入で、感電したり、内部の電気回路及び素子が損壊し機能を失ってしまうなどの問題を生じやすい。
さらに、ＬＥＤは、指向性が高いため、幅広い照明範囲の必要な場所に適用しにくい。全方向型の効果に達する必要があると、ＬＥＤ光線を反射して直接周囲を照射する、あるいは基本的な出射面から延出して長くすることで全方向の構造を図る必要があるから、コストを高めてもっと多い部品を増加しなければならい。振動する場所に設置すると、照明の光線も大幅に揺れ、信頼性及び安定さが低下し、あるいは電球内に受容する必要のある部品が増加するので、形状の設計を大きくしなければいけない。
【０００４】
以上に鑑み、専念に研究や設計、組み立てをし、上記多数の欠点を有効に解消することができる全方向発光ダイオード電球の設計改良構造を提供することが、本考案を創作しようとする動機である。
【考案の概要】
【考案が解決しようとする課題】
【０００５】
本考案は、発光ダイオード（Ｌｉｇｈｔ  Ｅｍｉｔｔｉｎｇ  Ｄｉｏｄｅ；ＬＥＤ）が点光源であり、直線性の特性を持っているため、照明カバーの構造を精密に計算することで、照射範囲の幅を増加するよう設計し、普通の白熱電球よりも寿命が長く省電力な発光ダイオード（ＬＥＤ）電球の商品化に達しやすい、全方向発光ダイオード電球を提供することを主な目的とする。
【０００６】
本考案は、完全な密閉構造の設計であって、湿気や腐蝕性ガスの多い場所で使用することが可能であるため、内部にいかなるガスも湿気も侵入することがなく完全に密封され、信頼性および安定性を高めることを次の目的とする。
【課題を解決するための手段】
【０００７】
上記目的を達成するため、本考案に係る全方向発光ダイオード電球は、主に、照明カバーと、本体と、口金とを含む。その内、前記照明カバーは、上カバーと下カバーとであり、両者を互いに結合して底部が開口するカバーを形成し、さらに、前記上カバーの内面には当該上カバーの中心から形成した同心円の彫り模様を複数有し、前記上カバーの底部エッジが第１結合部、前記下カバーの上部エッジが第２結合部となり、前記第１結合部と前記第２結合部とが完全に密閉結合され、前記下カバーの底部エッジに複数の孔が設けられている。
【０００８】
次に、前記本体は、電源モジュールが内蔵されたハウジングであり、前記ハウジングの上部と前記下カバーとの間に防水パッキンが介在され、さらに複数の締結部材でこれらの孔を接続して密接させ、前記ハウジングの天井面は光源板であり、前記光源板には複数の発光素子が設けられるとともに、前記電源モジュールに電気的に接続されている。さらに、前記口金は前記本体と電気絶縁に結合されている。
【０００９】
本考案に係る実施例では、これらの同心円彫り模様のピッチが、これらの発光素子の数量、位置及び前記照明カバーの厚さ、透光率とは、特定の比例関係になる。
【００１０】
本考案に係る実施例では、前記第１結合部と前記第２結合部とは、対応する凹凸構造であり、前記凹凸構造は、それぞれ超音波溶接または高周波数の方式で溶接して嵌め合い、溶接強さと密封強さを確保する。
【００１１】
本考案に係る実施例では、前記下カバーの内面は、上カバーに対応する同心円彫り模様を更に含み、上カバーからの反射光を屈折するために用いられる。
【００１２】
本考案に係る実施例では、この口金は、筒状の絶縁成形されたケーシングであり、前記口金の底部側面はねじ山の形で、前記口金の上部と前記本体の底部との結合箇所には、スペーサ板を介在し、前記口金と前記本体とは、接着剤で締め付けて嵌合し密接に結合されている。
【００１３】
本考案に係る実施例では、これらの締結部材は、前記下カバーと前記本体上部とを螺着するねじである。
【００１４】
上記詳細な説明は、本考案の好ましい実施例についての具体的な説明であるが、当該実施例は、本考案の請求範囲を限定するのではない。いずれの本考案の技術精神から逸脱しない等価な実施または変更は、本考案の実用新案登録請求の範囲に含まれるべきである。
【００１５】
以上に述べているように、本考案は、空間的形態上に創意があるだけでなく、従来よりも上記効果が多数増加され、新規性及び進歩性という、法に定める実用新案登録の要件を十分に満たすため、法律に従い出願する次第である。
【図面の簡単な説明】
【００１６】
【図１】本考案に係る全方向発光ダイオード電球の斜視図である。
【図２】本考案に係る全方向発光ダイオード電球の上カバーの斜視図である。
【図３】本考案に係る全方向発光ダイオード電球の模式図である。
【図４】本考案に係る全方向発光ダイオード電球の断面図である。
【図５】本本考案に係る全方向発光ダイオード電球の一部拡大図である。
【図６Ａ】従来技術に係る発光ダイオード電球（ＬＥＤ）の配光特性図である。
【図６Ｂ】本考案に係る全方向発光ダイオード電球の配光特性図である。
【考案を実施するための形態】
【００１７】
本考案に係る全方向発光ダイオード電球は、点光源として発光ダイオード（Ｌｉｇｈｔ  Ｅｍｉｔｔｉｎｇ  Ｄｉｏｄｅ；ＬＥＤ）を用い、直線形の特性を持っており、さらに、照明カバーの同心円彫り模様、照明カバー及び発光素子の三者を精密に計算することで照射範囲の幅と屈折及び反射の強さを増加するよう設計し、超広角の全方向性の発光ダイオード電球構造を形成する。
【００１８】
図３及び図４は、本考案に係る全方向発光ダイオード電球の模式図及び断面図である。図３及び図４に示すように、本考案は、全方向発光ダイオード電球を提供し、照明カバー１００と、本体２００と、口金３００とを含む。その中は、照明カバー１００は、上カバー１１０と下カバー１２０とを有し、両者は上カバー１１０の第１結合部１１１と下カバー１２０の第２結合部１２１とで互いに結合して底部が開口するカバーを形成し、上カバー１１０の内面には当該上カバーの中心から形成した同心円の彫り模様１１２（図２に示すように）を複数含み、第１結合部１１１と第２結合部１２１とが完全に密閉結合されて結合箇所Ａを形成する。
本体２００はハウジングであり、電源モジュール４００が内蔵され、下カバー１２０との間に防水パッキン１３０が介在され、さらに複数の締結部材１４０でこれらの孔を接続して密接させ、これらの締結部材はネジであり、下カバーと本体上部とを螺着する。
図１及び図４に示すように、本体２００の天井面は光源板４１０であり、光源板４１０には複数の発光素子４２０が設けられるとともに電源モジュール４００に電気的に接続されている。さらに、口金３００が本体２００とは電気絶縁に結合されている。
【００１９】
次に、これらの同心円彫り模様のピッチが、これらの発光素子の数量、位置及び照明カバーの厚さ、透光率とは、特定の比例関係になる。図６Ａ及び図６Ｂを参照する。三者間の関係を精密に計算することで同心円彫り模様を設計し、さらに光の屈折及び反射によって、光を上方及び下方へ拡散させ、好適な配光性及び広角度に達する。
【００２０】
図６Ａ及び図６Ｂに示すように、図６Ａは、従来技術に係る発光ダイオード電球（ＬＥＤ）の配光特性図であり、図６Ｂは、本考案に係る全方向発光ダイオード電球の配光特性図である。
ここから分かるように、従来の向発光ダイオード電球の発光方向は、主に、照明カバー１００に向かうのが最も多く、一部だけが本体２００に反射される。すなわち、図６Ａに示すように、従来技術の発光ダイオード電球が発光する時に、光が上半部Ｅに集中され、極少なく一部が下半部Ｆまでに反射される。
一方、本考案は、照明カバー１００の上カバーの内面に、発光部材の数及び配列位置と照明カバーの透光率及び厚さによって、接線カットの方式で該曲面の表面に規則的かつ微小な平面、即ち同心円彫り模様を形成し、発光素子からの光量約３０％が本体２００の方向に規則的な散乱効果を発生させ、該発光部材の出射角の制限を突破し、１８０°を超える有効な光の出射角に達し、光全体が外へ放射する広さ及び輝度を効率的に増加させる。図６Ｂに示すように、本考案は図６Ａよりも均一な配光及び全方向性の特徴をより向上することができる。
【００２１】
実用上、上カバーからの反射光を屈折するために、該下カバーの内面に上カバーに対応する同心円彫り模様が更に設けられてもよい。
【００２２】
図３〜図５を参照し、本考案の結合箇所Ａ、結合箇所Ｂ及び結合箇所Ｃの三者の接続関係についてさらに説明する。まず、図４及び図５は、それぞれ、本考案に係る全方向発光ダイオード電球の断面図及び一部拡大図であり、図４及び図５に示すように、一部拡大範囲Ａ’において、第１結合部１１１と第２結合部１２１とは対応する凹凸構造であり、前記凹凸構造の双方は、超音波溶接または高周波数の方式で溶接嵌合し、照明カバー全体の溶接強さと密封強さを確保する。
【００２３】
次に、図３及び図４に示すように、一部拡大範囲Ｂ’は、下カバー１２０と本体２００との接続箇所Ｂである。なお、実用上、両者は、対応するマッチング構造であり、例えば、凹凸構造や溝構造の設計で、さらに防水パッキン１３０を介在し両者の一致度を増加させ、接着剤で完全に防水かつ気密な構造を形成するように接着結合してもよい。
最後に、実用上、口金３００は、筒状の絶縁成形されたケーシングであり、口金３００の底部側はねじ山の形で、口金３００の上部と本体２００の底部との結合箇所には、スペーサ板（図示せず）を介在し、口金３００と本体２００とは、接着剤で締め付けて嵌合し密接に結合されている。
【００２４】
以上の説明は、本考案の好ましい実施態様に過ぎず、本考案の請求範囲を限定するものではなく、いずれの本考案の説明書及び図面を用いて実施した等価な構造の変更も、同様な理由で本考案の範囲に含まれるべきである。
【符号の説明】
【００２５】
１００  照明カバー
１１０  上カバー
１１１  第１結合部
１１２  同心円彫り模様
１２０  下カバー
１２１  第２結合部
１３０  防水パッキン
１４０  締結部材
２００  本体
３００  口金
４００  電源モジュール
４１０  光源板
４２０  発光素子
Ａ’    一部拡大範囲
Ｂ’    一部範囲
Ａ      結合箇所
Ｂ      結合箇所
Ｃ      結合箇所
Ｅ      上半部
Ｆ      下半部
【図１】
0003197255.tif 000003
【図２】
0003197255.tif 000004
【図３】
0003197255.tif 000005
【図４】
0003197255.tif 000006
【図５】
0003197255.tif 000007
【図６Ａ】
0003197255.tif 000008
【図６Ｂ】
0003197255.tif 000009